(57)【要約】【課題】耐荷重性に優れ、簡単に高さを変更して封緘できる高さ可変箱を提供する。【解決手段】各一対の側板１及び端板２にそれぞれ上折線８を介して蓋フラップ６，７を連設し、上折線６から下方へ間隔をあけて中折線９を入れ、側板１及び端板２の中折線９より上方を起伏部１ａ，２ａとした高さ可変箱において、端板２の起伏部２ａに、上折線８の両端から中折線９へかけて内側へ向かう端切線１０を入れると共に、中折線９の両端から端切線１０へかけて斜行する隅折線１１を入れ、端板２の起伏部２ａの端切線１０より外側部分を折込部１２として、側板１の起伏部１ａに連なるものとする。通常包装状態から低縮包装状態へ変形する際、端切線１０を切断し、端板２の起伏部２ａの端切線１０に挟まれた部分及び蓋フラップ７を内側へ倒伏させ、隅折線１１を谷折りして折込部１２を折り込みつつ、側板１の起伏部１ａ及び蓋フラップ６を倒伏させるようにする。【選択図】図４
2015058945.tif 000002
【特許請求の範囲】
【請求項１】
各一対の側板(1)及び端板(2)が稜部で直角をなす周壁を形成し、側板(1)及び端板(2)にそれぞれ上折線(8)を介して蓋フラップ(6,7)を連設し、上折線(8)から下方へ間隔をあけて中折線(9)を入れ、側板(1)及び端板(2)の中折線(9)より上方を起伏部(1a,2a)とし、蓋フラップ(6,7)を上折線(8)を軸として折り曲げた通常包装状態と、起伏部(1a,2a)及び蓋フラップ(6,7)を中折線(9)を軸として折り曲げた低縮包装状態とを選択可能とした高さ可変箱において、
前記端板(2)の起伏部(2a)に、上折線(8)の両端から中折線(9)へかけて内側へ向かう端切線(10)を入れると共に、中折線(9)の両端から端切線(10)へかけて斜行する隅折線(11)を入れ、端板(2)の起伏部(2a)の端切線(10)より外側部分を折込部(12)として、側板(1)の起伏部(1a)に連なるものとし、通常包装状態から低縮包装状態とする際、端切線(10)を切断し、端板(2)の起伏部(2a)の端切線(10)に挟まれた部分及びこれに連なる蓋フラップ(7)を内側へ倒伏させ、隅折線(11)を谷折りして折込部(12)を折り込みつつ、側板(1)の起伏部(1a)及びこれに連なる蓋フラップ(6)を倒伏させることを特徴とする高さ可変箱。
【請求項２】
前記中折線(9)は、側板(1)の中折線(9)が端板(2)の中折線(9)よりも上方に位置するように、段違いに配置したことを特徴とする請求項１に記載の高さ可変箱。
【発明の詳細な説明】
【技術分野】
【０００１】
この発明は、通信販売における商品の配送や返送等に使用される高さ可変箱に関するものである。
【背景技術】
【０００２】
例えば、通信販売で靴を購入する顧客は、サイズの異なる靴を２足取り寄せて、足に合う靴のみを購入し、他の靴を返品する場合がある。その際、返品される靴の送料は、通信販売事業者の負担となっている場合が多い。
【０００３】
ところで、一般に、荷物の送料は、サイズが小さいものは安く、大きいものは高くなるように段階的に設定されていることから、靴の返品に際し、通信販売事業者が発送に使用した箱を、顧客がそのまま再利用して返送すると、通信販売事業者は、発送時と同等の送料を負担しなければならない。このため、通信販売事業者は、顧客が箱のサイズを縮小して返送してくれることを期待して、サイズ可変箱の使用を検討している。
【０００４】
サイズ可変箱としては、下記特許文献１において、高さ方向の寸法を変更できるものが提案されている。
【０００５】
この高さ可変箱は、図７に示すように、段ボールのブランクにおいて、各一対の側板５１及び端板５２が交互に連設され、一方の側板５１の外側には継代片５３が連設されている。側板５１及び端板５２には、それぞれ下端に底フラップ５４，５５が、上端に蓋フラップ５６，５７が連設されている。
【０００６】
側板５１及び端板５２と蓋フラップ５６，５７との境界には、それぞれ押罫の上折線５８が入れられ、側板５１及び端板５２には、上折線５８の下方へ間隔をあけて押罫の中折線５９が設けられている。また、継代片５３にも、中折線５９の延長部が設けられている。
【０００７】
中折線５９は、両端部で交わり中央部で間隔が広くなるように折線状に上下に分離し、中折線５９に挟まれた部分は菱形の面取部６０とされている。面取部６０の上下幅が最も広くなる中央部分には、段ボールの厚さ方向に貫通する縦切目６１が入れられている。
【０００８】
側板５１及び端板５２の中折線５９より上方の部分は、起伏部５１ａ，５２ａとされ、隣り合う側板５１及び端板５２の起伏部５１ａ，５２ａの境界には、切込６２が入れられている。
【０００９】
このようなブランクを組み立てて、通常包装状態で物品を包装する際には、図８に示すように、各一対の側板５１及び端板５２を角筒状に折り曲げ、継代片５３を反対側の端板５２に貼り付けて周壁を形成し、底フラップ５４，５５を重ね合わせて底面を閉じ、上折線５８を軸として蓋フラップ５７，５６を順次内側へ折り曲げて重ね合わせ、粘着テープ等で封緘する。
【００１０】
一方、収納する物品の高さが減少した場合等において、低縮包装状態で物品を包装する際には、図９に示すように、上記と同様に周壁を形成して底面を閉じた状態で、まず、側板５１の起伏部５１ａ及び蓋フラップ５６を中折線５９を軸として折り曲げ、対向するこれらの部分を重ね合わせる。
【００１１】
次に、端板５２の起伏部５２ａ及び蓋フラップ５７を中折線５９を軸として折り曲げ、対向するこれらの部分を重ね合わせ、側板５１の起伏部５１ａ及び蓋フラップ５６に被せるようにして、粘着テープ等で封緘する。
【００１２】
このような低縮包装状態に変形すると、中折線５９が両端部で交わり中央部で間隔が広くなるように設けられていることから、側板５１及び端板５２が反発力を保持しつつ折り曲げられて、面取部６０が傾斜した状態となる。
【００１３】
そして、この高さ可変箱では、開封して物品を取り出す際、蓋フラップ５６，５７及び起伏部５１ａ，５２ａを開くと、面取部６０が反発力で外側へ傾斜し、包装した物品と側板５１及び端板５２との間に隙間ができるので、その隙間から手を入れ、物品を簡単に取り出すことができる。
【先行技術文献】
【特許文献】
【００１４】
【特許文献１】特開２００９−１０２０２４号公報
【発明の概要】
【発明が解決しようとする課題】
【００１５】
しかしながら、上記のような高さ可変箱では、側板５１及び端板５２の起伏部５１ａ，５２ａの境界に切込６２が入れられているため、通常包装状態で大きな積上荷重が作用すると、側板５１と端板５２との稜部に切込６２から下方へ破れが生じる恐れがある。
【００１６】
そこで、この発明は、耐荷重性に優れ、簡単に高さを変更して封緘できる高さ可変箱を提供することを課題とする。
【課題を解決するための手段】
【００１７】
上記課題を解決するため、この発明では、各一対の側板及び端板が稜部で直角をなす周壁を形成し、側板及び端板にそれぞれ上折線を介して蓋フラップを連設し、上折線から下方へ間隔をあけて中折線を入れ、側板及び端板の中折線より上方を起伏部とし、蓋フラップを上折線を軸として折り曲げた通常包装状態と、起伏部及び蓋フラップを中折線を軸として折り曲げた低縮包装状態とを選択可能とした高さ可変箱において、前記端板の起伏部に、上折線の両端から中折線へかけて内側へ向かう端切線を入れると共に、中折線の両端から端切線へかけて斜行する隅折線を入れ、端板の起伏部の端切線より外側部分を折込部として、側板の起伏部に連なるものとし、通常包装状態から低縮包装状態とする際、端切線を切断し、端板の起伏部の端切線に挟まれた部分及びこれに連なる蓋フラップを内側へ倒伏させ、隅折線を谷折りして折込部を折り込みつつ、側板の起伏部及びこれに連なる蓋フラップを倒伏させるようにしたのである。
【００１８】
また、前記中折線は、側板の中折線が端板の中折線よりも上方に位置するように、段違いに配置したのである。
【発明の効果】
【００１９】
この発明に係る高さ可変箱では、側板及び端板の起伏部の境界に切込が入っておらず、折込部で繋がっているため、通常包装状態で大きな積上荷重が作用しても、側板と端板との稜部に破れが生じる恐れがない。
【００２０】
また、通常包装状態から低縮包装状態への変形に際し、端切線の切断に伴い、端板の起伏部の端切線に挟まれた部分及びこれに連なる蓋フラップが倒伏し、折込部を隅折線に沿って折り込むことにより、側板の起伏部及び蓋フラップを倒伏させて天面を閉じることができ、粘着テープで容易に封緘することができる。
【図面の簡単な説明】
【００２１】
【図１】この発明の実施形態に係る高さ可変箱のブランクを示す図
【図２】同上の通常包装状態を示す斜視図
【図３】同上の変形過程を示す斜視図
【図４】同上の変形過程を示す斜視図
【図５】同上の低縮包装状態を示す斜視図
【図６】（ａ）〜（ｄ）同上の端切線の他例を示す図
【図７】従来の高さ可変箱のブランクを示す図
【図８】同上の通常包装状態を示す斜視図
【図９】同上の低縮包装状態を示す斜視図
【発明を実施するための形態】
【００２２】
以下、この発明の実施形態を添付図面に基づいて説明する。
【００２３】
図１に示すように、この高さ可変箱の段ボール製ブランクでは、幅の広い一対の側板１と及び幅の狭い端板２とが交互に連設され、一端側の端板２の外側には継代片３が連設されている。側板１及び端板２には、それぞれ下端に底フラップ４，５が、上端に蓋フラップ６，７が連設されている。底フラップ４，５は、折畳状態から組み立てる際、自動的に底組みされるいわゆるワンタッチ底形式とされている。
【００２４】
側板１及び端板２と蓋フラップ６，７との境界には、それぞれ押罫の上折線８が入れられ、側板１及び端板２には、上折線８の下方へ間隔をあけて押罫の中折線９が設けられている。また、継代片３にも、中折線９の延長部が設けられている。
【００２５】
中折線９は、側板１及び継代片３の中折線９が端板２の中折線９よりも段ボールの厚み２枚分弱程度上方に位置するように、段違いに配置されている。
【００２６】
側板１及び端板２の中折線９より上方の部分は、起伏部１ａ，２ａとされ、端板２の起伏部２ａには、上折線８の両端から中折線９へかけて斜め直線状に内側へ向かう端切線１０が入れられると共に、中折線９の両端から端切線１０へ向かう４５°の隅折線１１が入れられている。
【００２７】
この端切線１０は、後述する低縮包装状態への変形に際し、途切れることなく切断できるようにするため、鉤状の切目が断続するジッパー型とされ、隅折線１１は、折曲抵抗を軽減するため、押罫と切目とが交互に断続するリード罫とされている。
【００２８】
そして、端板２の起伏部２ａの端切線１０より外側部分は折込部１２として、側板１の起伏部１ａに連なるものとされている。
【００２９】
また、他端側の側板１に連なる蓋フラップ６には、折畳時に反対側の蓋フラップ６，７間の溝に係合させて偏平状態に保持するため、係合切目線１３が入れられている。
【００３０】
このようなブランクを組み立てて、通常包装状態で物品を包装する際には、図２に示すように、各一対の側板１及び端板２を角筒状に折り曲げ、継代片３を反対側の側板１に貼り付けて周壁を形成し、底フラップ４，５により底面を閉じ、蓋フラップ７，６を、上折線８を軸として順次内側へ折り曲げて重ね合わせ、粘着テープ等で封緘する。
【００３１】
この通常包装状態では、側板１及び端板２の起伏部１ａ，２ａの境界に切込が入っておらず、折込部１２で繋がっているため、大きな積上荷重が作用しても、側板１と端板２との稜部に破れが生じる恐れがない。
【００３２】
一方、収納する物品の高さが減少した場合等において、低縮包装状態で物品を包装する際には、図３に示すように、上記と同様に周壁を形成して底面を閉じた状態で、まず、端板２の端切線１０を切断し、端板２の起伏部２ａの端切線１０に挟まれた部分及びこれに連なる蓋フラップ７を、中折線９を軸として内側へ倒伏させ、対向するこれらの部分を重ね合わせる。
【００３３】
次に、図４に示すように、隅折線１１を表面側が窪むように谷折りして、折込部１２を折り込みつつ、側板１の起伏部１ａ及びこれに連なる蓋フラップ６を、中折線９を軸として内側へ倒伏させ、図５に示すように、対向するこれらの部分を重ね合わせた状態で、粘着テープ等で封緘する。
【００３４】
上記通常包装状態から低縮包装状態への変形に際しては、端切線１０の切断に伴い、端板２の起伏部２ａの端切線１０に挟まれた部分及びこれに連なる蓋フラップ７が倒伏し、折込部１２を隅折線１１に沿って折り込むことにより、側板１の起伏部１ａ及びこれに連なる蓋フラップ６を倒伏させて天面を閉じることができ、上方に重なる蓋フラップ６の先端部に沿って、１本の粘着テープで容易に封緘することができる。
【００３５】
また、側板１の中折線９と端板２の中折線９とが、段ボールの厚み２枚分弱程段違いに配置されているので、低縮包装状態において、折込部１２の反発が吸収され、側板１の起伏部１ａ及びこれに連なる蓋フラップ６が浮き上がることもない。
【００３６】
なお、上記実施形態では、端切線１０が斜め直線状に内側へ向かうものを例示したが、端切線１０は、図６（ａ）、（ｂ）に示すように、湾曲していてもよく、図６（ｃ）に示すように、斜め部分と垂直部分とから成るものとしてもよい。また、図６（ｄ）に示すように、途中で方向が変化するものとしてもよい。
【００３７】
また、箱の形状としては、例示したもののほか、各一対の側板１及び端板２の上端にそれぞれ蓋フラップ６，７が連設されているものであれば、天面側がタックエンド形式となったものや、複数のシートを組み合わせてブランクを形成するもの等でもよく、底面側の構造が限定されることもない。
【符号の説明】
【００３８】
１  側板
１ａ  起伏部
２  端板
２ａ  起伏部
３  継代片
４，５  底フラップ
６，７  蓋フラップ
８  上折線
９  中折線
１０  端切線
１１  隅折線
１２  折込部
１３  係合切目線
【図１】
2015058945.tif 000003
【図２】
2015058945.tif 000004
【図３】
2015058945.tif 000005
【図４】
2015058945.tif 000006
【図５】
2015058945.tif 000007
【図６】
2015058945.tif 000008
【図７】
2015058945.tif 000009
【図８】
2015058945.tif 000010
【図９】
2015058945.tif 000011